(57)【要約】【課題】視覚及び聴覚が衰えたユーザに対する操作性をより向上させることができる画像形成装置を提供すること。【解決手段】ブザー７０は操作指令受付手段によりユーザの操作指令が受け付けられたとき、操作指令が受け付けられたことをユーザに報知するための報知音を出力する。音量変更部５２はサイズ設定部５１により設定されたフォントサイズに応じた音量に報知音の音量を設定する。そのため、ユーザは、操作指令を入力した際にブザー７０から出力される報知音の音量によって、フォントサイズを認識することが可能となる。そのため、目の不自由なユーザであってもより正確にフォントサイズを認識することが可能となる。【選択図】図１
2007139988.tif 000002
【特許請求の範囲】
【請求項１】
ユーザから種々の操作指令を受け付ける操作指令受付手段と、
種々の操作画像を表示する表示手段と、
前記操作指令受付手段によりユーザからの操作指令が受け付けられたとき、操作指令が受け付けられたことをユーザに報知するための報知音を出力する音出力手段と、
前記表示手段に表示される操作画像のフォントサイズを設定するサイズ設定手段と、
前記サイズ設定手段により設定されたフォントサイズが大きくなるにつれて前記報知音の音量が大きくなるように前記報知音を変更する音量変更手段とを備えることを特徴とする画像形成装置。
【請求項２】
前記サイズ設定手段は、前記操作指令受付手段により受け付けられた操作指令に基づいて前記フォントサイズを設定することを特徴とする請求項１記載の画像形成装置。
【請求項３】
前記報知音は画像形成装置の制御状態を報知するための報知音を含むことを特徴とする請求項１又は２記載の画像形成装置。
【請求項４】
前記操作指令受付手段は、前記報知音の音量を調整するための操作指令を受け付け、
前記音量変更手段は、音量を調整するための操作指令に従って、前記フォントサイズに応じて変更した音量を調整することを特徴とする請求項１〜３のいずれかに記載の画像形成装置。
【請求項５】
前記操作指令受付手段は、前記報知音の出力を停止させるための操作指令を受け付け、
前記音量変更手段は、前記操作指令受付手段により前記報知音の出力を停止させる操作指令が受け付けられたとき、前記音出力手段による前記報知音の出力を停止させることを特徴とする請求項１〜４のいずれかに記載の画像形成装置。
【発明の詳細な説明】
【技術分野】
【０００１】
本発明は、コピー機、デジタル複合機、及びプリンタ等の画像形成装置に関するものである。
【背景技術】
【０００２】
特許文献１には、全盲モードが指定されると、音声ガイドをＯＮにして、音声ガイドの音量をテンキー部から指定させ、指定された音量で音声ガイドを行うと共に、液晶表示部に表示するボタンの大きさをテンキー部から指定させ、指定された大きさのボタンを液晶表示部に表示させる画像形成装置が開示されている。
【特許文献１】特開２００３−３３５０３３号公報
【発明の開示】
【発明が解決しようとする課題】
【０００３】
しかしながら、特許文献１の画像形成装置では、ユーザは液晶表示部に表示されるボタンの大きさを好みに応じて自由に指定することはできるが、これでは、ユーザは指定したボタンの大きさを視覚的にしか認識することができないため、老人のような視覚のみならず聴覚も衰えたユーザに対する操作性をより向上させるという点において更に改良の余地が残されている。
【０００４】
本発明の目的は、視覚及び聴覚が衰えたユーザに対する操作性をより向上させることができる画像形成装置を提供することである。
【課題を解決するための手段】
【０００５】
本発明による画像形成装置は、ユーザから種々の操作指令を受け付ける操作指令受付手段と、種々の操作画像を表示する表示手段と、前記操作指令受付手段によりユーザからの操作指令が受け付けられたとき、操作指令が受け付けられたことをユーザに報知するための報知音を出力する音出力手段と、前記表示手段に表示される操作画像のフォントサイズを設定するサイズ設定手段と、前記サイズ設定手段により設定されたフォントサイズが大きくなるにつれて前記報知音の音量が大きくなるように前記報知音を変更する音量変更手段とを備えることを特徴とする。
【０００６】
この構成によれば、音出力手段は、操作指令受付手段によりユーザの操作指令が受け付けられたとき、操作指令が受け付けられたことをユーザに報知するための報知音を出力する。音量変更手段はサイズ設定手段により設定されたフォントサイズの大きさに応じて報知音の音量が大きくなるように報知音の音量を変更する。したがって、フォントサイズを大きくするとそれに連動して報知音の音量も大きく変更されるため、視覚のみならず聴覚も衰えたユーザ（例えば老人）は、別途報知音の音量を大きく変更する操作を行う必要がなくなり画像形成装置の操作性を向上させることができる。
【０００７】
また、上記構成において、前記サイズ設定手段は、前記操作指令受付手段により受け付けられた操作指令に基づいて前記フォントサイズを設定することが好ましい。
【０００８】
この構成によれば、ユーザは操作指令受付手段を操作してフォントサイズを設定することができるため、フォントサイズを設定するための操作手段を別途設ける必要がなく、装置の簡便化を図ることができる。
【０００９】
また、上記構成において、前記報知音は画像形成装置の制御状態を報知するための報知音を含むことが好ましい。
【００１０】
この構成によれば、印刷終了等の画像形成装置の制御状態が報知され、しかもその報知音の音量がフォントサイズに応じた大きさとなっているため、画像形成装置の制御状態を、聴覚を通じてより正確に認識することができると共に、その音を通じて現在設定されているフォントサイズを認識することができる。
【００１１】
また、上記構成において、前記操作指令受付手段は、前記報知音の音量を調整するための操作指令を受け付け、前記音量変更手段は、音量を調整するための操作指令に従って、前記フォントサイズに応じて変更した音量を調整することが好ましい。
【００１２】
この構成によれば、報知音の音量をユーザの好みの音量に調整することができる。
【００１３】
また、上記構成において、前記操作指令受付手段は、前記報知音の出力を停止させるための操作指令を受け付け、前記音量変更手段は、前記操作指令受付手段により前記報知音の出力を停止させる操作指令が受け付けられたとき、前記音出力手段による前記報知音の出力を停止させることが好ましい。
【００１４】
この構成によれば、音出力手段から報知音が出力されないようにできるため、報知音の出力を不要と考えるユーザの要望に応じることができる。
【発明の効果】
【００１５】
本発明によれば、視覚及び聴覚が衰えたユーザに対する操作性をより向上させることができる。
【発明を実施するための最良の形態】
【００１６】
以下、図面を参照しつつ本発明の実施の形態について説明する。図１は、本発明の実施の形態による画像形成装置の機械的構成を主に示す側面概略図である。本画像形成装置は、本体部２００と、本体部２００の左側に配設された用紙後処理部３００と、ユーザが種々の操作指令等を入力するための操作部４００と、本体部２００の上部に配設された原稿読取部５００と、原稿読取部５００の上方に配設された原稿給送部６００とから構成される。
【００１７】
操作部４００は、操作パネル４０１、スタートキー４０２及びテンキー４０３等を備える。操作パネル４０１は、タッチパネルから構成され、種々の操作画像を表示するとともに、ユーザが種々の操作指令を入力するための種々の操作ボタン等を表示する。この操作ボタンには、ユーザがフォントサイズを拡大する操作指令を入力するための拡大サイズ設定ボタンと、ユーザがフォントサイズを縮小する操作指令を入力するための縮小サイズ設定ボタンとが含まれている。スタートキー４０２は、ユーザが印刷実行指令等を入力するために用いられ、テンキー４０３は、印刷部数等を入力するために用いられる。
【００１８】
原稿給送部６００は、原稿載置部６０１、原稿排出部６０２、給紙ローラ６０３及び原稿搬送部６０４、及びコンタクトガラス６０５等を備え、原稿読取部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。
【００１９】
スキャナ５０１は搬送される原稿を順次読取り、読取られた原稿は原稿排出部６０２に排出される。また、スキャナ５０１は、コンタクトガラス６０５に載置された原稿を読取る場合は、Ａ方向にスライドして原稿を読取る。
【００２０】
本体部２００は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、排出トレイ２１０、及び記録紙搬送部２１１等を備える。
【００２１】
感光体ドラム２０５は、矢印方向に回転しながら帯電装置（図示省略）によって一様に帯電される。露光装置２０６は、原稿読取部５００において読取られた原稿の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー像を形成する。
【００２２】
中間転写体ローラ２０４は、感光体ドラム２０５から各色のトナー像が転写され、中間転写体ローラ２０４上にカラーのトナー像を形成する。
【００２３】
一方、給紙ローラ２０２は、記録紙が収納された給紙カセット２０１から記録紙を引き出し、記録紙搬送部２１１は、引き出された記録紙を転写ローラ２０３へと搬送する。転写ローラ２０３は、搬送された記録紙に中間転写体ローラ２０４上のトナー像を転写させる。トナー像が転写された記録紙は、記録紙搬送部２１１により定着ローラ２０８へと搬送され、定着ローラ２０８は、転写されたトナー像を加熱して記録紙に定着させる。その後、記録紙は、記録紙搬送部２１１により排出口２０９へと搬送され用紙後処理部３００に搬入される。また、記録紙は、必要に応じて排出トレイ２１０へも排出される。
【００２４】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２５】
図２は、図１に示す画像形成装置の電気的構成を示すブロック図である。本画像形成装は、原稿読取部１０、画像メモリ２０、操作表示部３０、印刷部４０、制御部５０、記憶部６０、ブザー７０、抵抗Ｒ１、及びトランジスタＱ１を備えている。
【００２６】
原稿読取部１０は、図１に示す原稿読取部５００から構成され、コピー対象となる原稿の画像データを取得して画像メモリ２０に記憶させる。画像メモリ２０は、ハードディスク等の外部記憶装置から構成され、コピー対象となる原稿の画像データを記憶する。
【００２７】
操作表示部３０は、制御部５０の制御の下、操作画像記憶部６２に記憶された操作画像を読み出して表示パネル４０１に表示すると共に、サイズ設定部５１により設定されたフォントサイズに従って、操作画像に含まれるフォントのフォントサイズを変更する。
【００２８】
印刷部４０は、図１に示す転写ローラ２０３、中間転写体ローラ２０４、感光体ドラム２０５、露光装置２０６、現像装置２０７Ｙ〜２０７Ｋ等から構成され、コピー対象となる原稿の画像データを記録紙に印刷する。
【００２９】
制御部５０は、ＣＰＵ、ＲＡＭ等を備え、本画像形成装置の全体制御を司る。特に、本実施の形態では、制御部５０は、サイズ設定部５１、音量変更部５２、デジタルアナログ変換部（Ｄ／Ａ）５３、及びクロック生成部５４を備えている。
【００３０】
サイズ設定部５１は、上述するフォントサイズ拡大ボタンが１回押される毎に、フォントサイズを１段階上昇させ、上述するフォントサイズ縮小ボタンが１回押される毎にフォントサイズを１段階下降させ、第１〜第１０の１０個の段階でフォントサイズを設定する。なお、フォントサイズは、第１段階〜第１０段階と段階を示す数値が大きくなるにつれて大きくなる。また、第１段階はデフォルトのフォントサイズを示し、第１０段階は最大のフォントサイズを示している。
【００３１】
音量変更部５２は、サイズ設定部５１により設定されたフォントサイズに対応する駆動電圧を駆動電圧記憶部６１から読み出して図略のＲＡＭに一時的に記憶させ、ブザー７０から出力される報知音の音量を変更する。
【００３２】
また、音量変更部５２は、操作表示部３０がユーザからの種々の操作指令を受け付けたとき又は印刷部４０から印刷の終了を通知するための信号が出力されたとき、図略のＲＡＭに記憶された駆動電圧を読み出してＤ／Ａ５３に出力すると共に、ブザー７０から出力される報知音の周波数を決定するためのクロック信号がトランジスタＱ１を介してブザー７０に出力されるようにクロック生成部５４を制御する。
【００３３】
更に、音量変更部５２は、操作表示部３０がユーザから報知音の音量を調節するための操作指令を受け付けたとき、ＲＡＭに記憶された駆動電圧の値を、受け付けた操作指令に従って変更し、変更した駆動電圧の値でＲＡＭに記憶されている駆動電圧の値を更新する。
【００３４】
更に、音量変更部５２は、操作表示部３０がユーザから報知音の出力を停止させるための操作指令を受け付けた場合、操作表示部３０がユーザからの操作指令を受け付けたとき、又は印刷部４０から印刷終了通知が出力されたときであっても、Ｄ／Ａ５３に駆動電圧を出力しないと共に、クロック生成部５４にクロック信号を出力させないことにより、ブザー７０からの報知音の出力を停止させ、本画像形成装置を消音モードに設定する。
【００３５】
一方、音量変更部５２は、操作表示部３０がユーザから消音モードの設定を解除する操作指令を受け付けたとき、消音モードを解除して、報知音を出力させる通常モードに画像形成装置を設定する。
【００３６】
Ｄ／Ａ５３は、音量変更部５２から出力されるデジタルの駆動電圧をアナログの駆動電圧に変換し、抵抗Ｒ１を介してブザー７０に出力する。クロック生成部５４は、音量変更部５２からのクロック信号を送出するための指令を受け付け、トランジスタＱ１にクロック信号を出力する。
【００３７】
記憶部６０は、駆動電圧記憶部６１及び操作画像記憶部６２を備えている。駆動電圧記憶部６１は、フォントサイズを示す第１段階〜第１０段階と、各段階に対応するブザー７０を駆動するための駆動電圧の値とを対応付けた駆動電圧テーブルを備えている。図３は、駆動電圧記憶部６１が記憶する駆動電圧テーブルを示した図である。図３に示すように駆動電圧テーブルはフォントサイズの欄と駆動電圧の欄とを備えている。フォントサイズの欄には、フォントサイズを示す第１段階〜第１０段階が記憶されている。駆動電圧の欄には、第１段階〜第１０段階のそれぞれに対して予め定められた駆動電圧の値が記憶されている。なお、図３に示す点線は、実際には、第２段階〜第９段階のそれぞれに対応する駆動電圧が記憶されていることを示している。
【００３８】
本実施の形態では、フォントサイズが大きくなるにつれてブザーから出力される音は大きくなる。そのため、駆動電圧の値は第１〜第１０段階と各段階を示す数値が大きくなるにつれて大きな値が採用されている。具体的には、第２〜第１０段階の駆動電圧の値は、第１の駆動電圧の値に対して、例えば、１．１，１．２，１．３，１．４，１．５，１．６，１．７，１．８，１．９倍となるような値が設定されている。
【００３９】
なお、本実施の形態では、フォントサイズを１０段階で設定できるようにしたが、これに限定されず、２段階以上９段階以下、好ましくは５段階以上７段階以下に設定できるようにしてもよいし、１１段階以上に設定できるようにしてもよい。そして、フォントサイズの段階数に応じて駆動電圧テーブルが記憶する駆動電圧の数も適宜変更すればよい。
【００４０】
操作画像記憶部６２は、操作表示部３０により表示される操作画像の画像データを記憶している。この画像データはフォントサイズが第１段階であるときの画像データである。
【００４１】
トランジスタＱ１はｎチャネル型のバイポーラトランジスタから構成され、エミッタが接地され、ベースがクロック生成部５４と接続され、コレクタが抵抗Ｒ１を介してＤ／Ａ５３及び電源ＶＤＤと接続されている。そして、クロック生成部５４から出力されるクロック信号がハイレベルのとき、オンしてブザー７０にローレベルの電圧を印加し、クロック信号がローレベルのとき、オフしてブザー７０にハイレベルの電圧を印加する。
【００４２】
ブザー７０は、トランジスタＱ１から出力されるハイレベル又はローレベルの電圧を受けると共に、Ｄ／Ａ５３から出力される駆動電圧を受けることで、クロック生成部５４から出力されるクロック信号の周波数を有し、かつ、受けた駆動電圧の値に応じた音量を有する報知音を出力する。ここで、報知音としてビープ音等が採用される。
【００４３】
次に、本画像形成装置の動作について図４のフローチャートを用いて説明する。なお、本フローチャートが実行されるに当たり、音量変更部５２は、本画像形成装置を消音モードに設定せずに通常モードに設定しているものとする。
【００４４】
まず、ステップＳ１において、操作表示部３０は、フォントサイズを変更する操作指令を受け付けると（Ｓ１でＹＥＳ）、サイズ設定部５１は、受け付けられた操作指令に従ってフォントサイズを設定する（Ｓ３）。一方、操作表示部３０は、フォントサイズを変更する操作指令を受け付けない場合（Ｓ１でＮＯ）、印刷部４０は、印刷開始の操作指令が操作表示部３０により受け付けられたとき、原稿読取部１０で読み取られた原稿の画像データを記録紙に印刷し（Ｓ２）、処理を終了する。
【００４５】
図５は、ユーザがフォントサイズを設定する際に操作表示部３０に表示される操作画像を示した図である。図５に示す操作画像には、本画像形成装置をコピーモードに設定するためのコピーボタンＢ１、スキャナモードに設定するためのスキャナボタンＢ２、及び消音モードに設定するための消音ボタンＢ３が表示されている。
【００４６】
音量変更部５２は、本画像形成装置を通常モードに設定している状態において、ユーザにより消音ボタンＢ３が押されると、本画像形成装置を消音モードに設定する。この場合、消音ボタンＢ３には「消音」との語が表示される。一方、音量変更部５２は、本画像形成装置を消音モードに設定している状態において、ユーザにより消音ボタンＢ３が押されると、本画像形成装置を通常モードに設定する。この場合、消音ボタンＢ３に表示された「消音」との語が消去される。
【００４７】
消音ボタンＢ３の下側には、報知音の音量を示すインジケータＢ６と、報知音を上昇させるための音量上昇ボタンＢ４と、報知音を下降させるための音量下降ボタンＢ５とが表示されている。
【００４８】
消音ボタンＢ３の右側にはフォントサイズ拡大ボタンＢ８が表示され、フォントサイズ拡大ボタンＢ８の下側にはフォントサイズ縮小ボタンＢ９が表示されている。
【００４９】
フォントサイズ拡大ボタンＢ８の上側には、現在設定されているフォントサイズを示すサイズ表示欄Ｂ１０が表示されている。上述したように、本実施の形態では、フォントサイズは１０段階で変更可能であり、第２〜第１０の段階はそれぞれ第１の段階に対して、１．１，１．２，１．３，１．４，１．５，１．６，１．７，１．８，１．９倍のサイズを示しているため、サイズ表示欄Ｂ１０には、１００％，１１０％，１２０％，１３０％，１４０％，１５０％，１６０％，１７０％，１８０％，１９０％のいずれかが表示される。
【００５０】
フォントサイズ拡大ボタンＢ８及びフォントサイズ縮小ボタンＢ９の右側には、Ａ４、Ｂ５等の記録紙のサイズを指定するための用紙選択ボタンＢ１２が表示されている。用紙選択ボタンＢ１２の下側には、画像読み取り時の解像度を通常の解像度又は高解像度に設定するための文字／写真ボタンＢ１３が表示されている。
【００５１】
そして、ユーザによりフォントサイズ拡大ボタンＢ８が１回押されると、サイズ設定部５１は、現在設定しているフォントサイズを１段階上昇させ、操作表示部３０は、現在表示しているフォントサイズを１段階拡大させる画像処理を行い、拡大した操作画像を操作表示部３０に表示する。また、ユーザによりフォントサイズ縮小ボタンＢ９が１回押されると、サイズ設定部５１は、現在設定しているフォントサイズを１段階下降させ、操作表示部３０は現在設定されているフォントサイズを１段階縮小させる画像処理を行い、縮小した操作画像を操作表示部３０に表示する。
【００５２】
図６は、図５に対してフォントサイズが１．３倍に拡大された操作画像を示した図である。なお、図６では、フォントサイズの拡大に伴って操作画像全体が拡大されている。なお、フォントサイズが拡大された結果、操作画像が操作表示部３０の表示エリア内に収まりきれなくなった場合、操作表示部３０は、フォントサイズ縮小ボタンＢ９の下側に４つのカーソルボタンＢ１４〜Ｂ１７を表示し、カーソルボタンＢ１４が押されると操作画像を上方向にスクロールさせ、カーソルボタンＢ１５が押されると操作画像を左方向にスクロールさせ、カーソルボタンＢ１６が押されると操作画像を下方向にスクロールさせ、カーソルボタンＢ１７が押されると操作画像を右方向にスクロールさせ、ユーザが操作画像の全範囲を視認することができるようにしている。
【００５３】
図４に示すステップＳ４において、音量変更部５２は、サイズ設定部５１により設定されたフォントサイズに対応する駆動電圧を駆動電圧記憶部６１から読み出しＲＡＭに記憶させ、ブザー７０から出力される報知音の音量を設定する。
【００５４】
ここで、音量変更部５２は、ユーザによりフォントサイズ拡大ボタンＢ８が１回押されると、現在設定しているフォントサイズを１段階上昇させ、上昇させた段階に対応する駆動電圧を駆動電圧記憶部６１から読み出し、ＲＡＭに記憶させ、現在設定している報知音の音量を変更する。また、音量変更部５２は、ユーザによりフォントサイズ縮小ボタンＢ９が１回押されると、現在設定しているフォントサイズを１段階減少させ、減少させた段階に対応する駆動電圧を駆動電圧記憶部６１から読み出してＲＡＭに記憶させ、現在設定されている報知音の音量を変更する。
【００５５】
ステップＳ５において、操作表示部３０は、ユーザからの報知音の音量を調整するための操作指令を受け付けたとき（Ｓ５でＹＥＳ）、音量変更部５２は、受け付けられた操作指令に従って、現在設定している報知音の音量を変更する（Ｓ６）。一方、操作表示部３０は、報知音の音量を調整するための操作指令を受け付けないとき（Ｓ５でＮＯ）、処理をステップＳ７に進める。
【００５６】
ここで、音量変更部５２は、第１段階〜第１０段階のそれぞれに対する駆動電圧を中心に上下に２段階で音量を調整することができる。ユーザにより音量上昇ボタンＢ４が１回押されると音量変更部５２は、ＲＡＭに記憶されている駆動電圧の値に所定の値を加えることで、音量を上昇させ、ユーザにより音量下降ボタンＢ５が押されるとＲＡＭに記憶されている駆動電圧の値から所定の値を減ずることで、音量を下降させる。
【００５７】
例えば、フォントサイズが第２段階に設定され、駆動電圧記憶部６１が記憶する第２段階に対応する駆動電圧の値が２ｍＶであるとすると、音量変更部５２は、音量上昇ボタンＢ４が１回押される毎に、２ｍＶに０．２ｍＶを加え、最大２．４ｍＶまで駆動電圧の値を上昇させる。一方、音量変更部５２は、音量下降ボタンＢ５が１回押される毎に、現在ＲＡＭに記憶されている駆動電圧から０．２ｍＶを減じ、最小１．６ｍＶまで駆動電圧の値を下降させる。
【００５８】
また、操作表示部３０は、ＲＡＭに駆動電圧記憶部６１に記憶されている駆動電圧と同一の駆動電圧が記憶されている場合は、インジケータＢ６に矩形状の画像を３個横方向に配列表示し、音量上昇ボタンＢ４が押される毎にインジケータＢ６に表示する矩形状の画像を１つずつ増やし、音量が上昇したことをユーザに報知する。また、音量下降ボタンＢ５が押される毎にインジケータＢ６に表示する矩形状の画像を一つずつ減らし、音量が下降したことをユーザに報知する。
【００５９】
ステップＳ７において、操作表示部３０はユーザから印刷開始を指示する操作指令を受け付けると（Ｓ７でＹＥＳ）、原稿読取部１０は原稿を読み取り、原稿の画像データを取得し、印刷部４０は、この原稿の画像データを記録紙に印刷する（Ｓ８）。ここで、印刷部４０は印刷が終了したとき、印刷終了を通知するための信号を制御部５０に出力する。一方、操作表示部３０はユーザから印刷開始を指示する操作指令を受け付けない場合（Ｓ７でＮＯ）、処理をステップＳ７に戻す。
【００６０】
なお、操作表示部３０がユーザから印刷開始を指示する操作指令を受け付けたとき、所定時間、音量変更部５２は設定した報知音の音量をブザー７０に出力すると共に、クロック生成部５４からクロック信号を出力させ、所定時間、ブザー７０に報知音を出力させる。
【００６１】
ステップＳ９において、印刷部４０により印刷終了の通知を示す信号が出力されてから所定時間内に、操作表示部３０がユーザから操作指令を受け付けたとき（Ｓ９でＹＥＳ）、音量変更部５２は、現在設定している報知音の音量をそのままＲＡＭに記憶させ、報知音の音量の設定を維持し（Ｓ１１）、処理をステップＳ８に戻す。
【００６２】
一方、印刷部４０から印刷終了の通知が出力されてから所定時間内に、操作表示部３０がユーザからの操作指令を受け付けない場合（Ｓ９でＮＯ）、音量変更部５２は、第１の段階に対する駆動電圧を駆動電圧記憶部６１から読み出してＲＡＭに記憶させて報知音の音量をデフォルトの音量に設定すると共に、操作表示部３０はフォントをデフォルトのフォントサイズに戻す（Ｓ１０）。
【００６３】
以上説明したように、本画像形成装置によれば、ブザー７０は操作表示部３０によりユーザの操作指令が受け付けられたとき、操作指令が受け付けられたことをユーザに報知するための報知音を出力する。そして、音量変更部５２はサイズ設定部５１により設定されたフォントサイズの大きさに応じて報知音の音量が大きくなるように報知音の音量を変更する。そのため、視覚及び聴覚が不自由なユーザは、報知音の音量を別途大きくする操作を行わなくとも、フォントサイズを大きく設定するだけで、報知音の音量を大きくすることができ、視覚及び聴覚が不自由なユーザに対する画像形成装置の操作性を向上させることができる。
【００６４】
なお、本実施形態ではユーザにより操作指令が入力されたとき又は印刷部４０による印刷動作が終了したときに報知音としてブザー音を鳴らす構成を採用したが、これに限定されず、画像形成装置の制御状態が変更されたときに変更後の画像形成装置の制御状態を示す音声を報知音として採用してもよい。ここで、画像形成装置の制御状態が変更されたときとして、例えば印刷部４０が印刷動作を開始したとき、印刷部４０が印刷動作を終了したとき、ウオーミングアップ期間が経過したとき等が含まれる。
【図面の簡単な説明】
【００６５】
【図１】本発明の実施の形態による画像形成装置の機械的構成を主に示す側面概略図である。
【図２】図１に示す画像形成装置の電気的構成を示すブロック図である。
【図３】駆動電圧テーブルを示した図である。
【図４】本画像形成装置の動作を示すフローチャートである。
【図５】ユーザがフォントサイズを設定する際に操作表示部に表示される操作画像を示した図である。
【図６】図５の操作画像に対してサイズが１．３倍に拡大された操作画像を示した図である。
【符号の説明】
【００６６】
１０  原稿読取部
２０  画像メモリ
３０  操作表示部
４０  印刷部
５０  制御部
５１  サイズ設定部
５２  音量変更部
５３  変換部
５４  クロック生成部
６０  記憶部
６１  駆動電圧記憶部
６２  操作画像記憶部
７０  ブザー
【図１】
2007139988.tif 000003
【図２】
2007139988.tif 000004
【図３】
2007139988.tif 000005
【図４】
2007139988.tif 000006
【図５】
2007139988.tif 000007
【図６】
2007139988.tif 000008